(57)【要約】【課題】例えば明視野観察と蛍光観察のような複数の観察をする際に、観察を実施しながら簡易に観察の切替えができるようにする。【解決手段】明視野観察と蛍光観察などの複数の観察を実施可能な顕微鏡装置であって、ユーザが操作をする手元近傍に複数の観察を切替える切替え手段を備え、ユーザがその切替え手段により所望の観察を選択すると、それに連動して選択した観察のための光学系に設定を変更する顕微鏡装置を提供する。【選択図】図１
2016095493.tif 000002
【特許請求の範囲】
【請求項１】
サンプルを明視野観察するためにサンプルに光を照射する明視野照明光学系と、
サンプルを蛍光観察するためにサンプルに励起光を照射する蛍光照明光学系と、
サンプルからの光を観察する観察光学系と、
少なくとも前記蛍光照明光学系を制御する制御部を備えた顕微鏡装置であって、
前記明視野照明光学系はサンプルへの光の照射を抑制する照射抑制手段を備え、
該照射抑制手段が前記明視野照明光学系によるサンプルへの光の照射を抑制している時は、前記制御手段が前記蛍光照明光学系によりサンプルへの励起光の照射を行い、
前記照射抑制手段が明視野照明光学系によるサンプルへの光の照射を抑制していない時は、前記制御手段が前記蛍光照明光学系によりサンプルへの励起光の照射を抑制する顕微鏡装置。
【請求項２】
前記照射抑制手段がシャッタを備え、
該シャッタを前記明視野照明光学系の光路に挿入することで前記明視野照明光学系によるサンプルへの光の照射を遮断すると、それに連動して前記制御手段が前記蛍光照明光学系によりサンプルへの励起光の照射を行い、
前記シャッタを前記明視野照明光学系の光路から離脱させることで前記明視野照明光学系によりサンプルへ光を照射すると、それに連動して前記制御手段が前記蛍光照明光学系によりサンプルへの励起光の照射を抑制する請求項１に記載の顕微鏡装置。
【請求項３】
前記照射抑制手段がシャッタ検知手段を備え、
前記制御部は、前記シャッタ検知手段を介して前記明視野照明光学系の光路に前記シャッタが挿入または離脱されたことを検知し、前記シャッタが挿入されたことを検知した場合に前記蛍光照明光学系によりサンプルへの励起光の照射を行い、前記シャッタが離脱されたことを検知した場合に前記蛍光照明光学系によりサンプルへの励起光の照射を抑制する請求項２に記載の顕微鏡装置。
【請求項４】
前記シャッタ検知手段は、明視野観察と蛍光観察を識別するためのマーカーと、該マーカーを検出するセンサとを備え、
前記制御部は、前記センサが検出したマーカーの情報を取得することで前記明視野照明光学系の光路に前記シャッタが挿入または離脱されたことを検知し、前記シャッタが挿入されたことを検知した場合に前記蛍光照明光学系によりサンプルへの励起光の照射を行い、前記シャッタが離脱されたことを検知した場合に前記蛍光照明光学系によりサンプルへの励起光の照射を抑制する請求項３に記載の顕微鏡装置。
【請求項５】
前記照射抑制手段が前記明視野照明光学系の光源のON/OFFを切替るスイッチであり、
該スイッチをOFFにすることで前記明視野照明光学系によるサンプルへの光の照射を遮断すると、それに連動して前記制御手段が前記蛍光照明光学系によりサンプルへの励起光の照射を行い、
前記スイッチをONにすることで前記明視野照明光学系によりサンプルへ光を照射すると、それに連動して前記制御手段が前記蛍光照明光学系によりサンプルへの励起光の照射を抑制する請求項１に記載の顕微鏡装置。
【請求項６】
サンプルを明視野観察および蛍光観察するためにサンプルに光を照射する照明光学系と、
サンプルからの光を観察する観察光学系と、
明視野観察と蛍光観察を切替える切替え機構を備えた顕微鏡装置であって、
前記切替え機構は、光路上にNDフィルタまたは励起フィルタを配置するための第１切替え手段と、光路上にエミッションフィルタ挿脱するための第２切替え手段と、少なくとも該第２切替え手段を制御する制御部を備え、
前記第１切替え手段により光路上に励起フィルタが挿入されると、前記制御手段が前記第２切替え手段により前記エミッションフィルタを光路上に挿入し、
前記第１切替え手段により光路上にNDフィルタが挿入されると、前記制御手段が前記第２切替え手段により前記エミッションフィルタを光路上から離脱させる顕微鏡装置。
【請求項７】
前記第１切替え手段は、明視野観察と蛍光観察を識別するためのマーカーと、該マーカーを検出するセンサとを備え、
前記制御部が、前記センサが検出したマーカーの情報を取得することで、光路上に励起フィルタが挿入されたかNDフィルタが挿入されたかを識別する請求項６に記載の顕微鏡装置。
【発明の詳細な説明】
【技術分野】
【０００１】
本発明は、顕微鏡装置に関するものである。
【背景技術】
【０００２】
近年、蛍光標識や発光標識など生体試料中の標的物質を標識する技術の進展にともない、同一試料について明視野観察、蛍光観察、発光観察など複数種類の観察方法を行うことが要求されるようになった。例えば、特許文献１には明視野観察と蛍光観察を切り替え可能な顕微鏡が記載されている。
【先行技術文献】
【特許文献】
【０００３】
【特許文献１】特開２０１３−２９８３７号公報
【発明の概要】
【発明が解決しようとする課題】
【０００４】
例えば、特許文献１に記載された顕微鏡で明視野観察と蛍光観察を行う場合、ユーザには試料を観察しながら両観察をすばやく切替えたいという要求があるものの、両観察の光学系は異なっており、ユーザが試料を観察しながら簡便、迅速に切替えることは困難である。
【０００５】
本発明は、上述した事情に鑑みてなされたものであって、明視野観察と蛍光観察など複数種類の観察方法をリアルタイムに簡易に切替えられる顕微鏡装置を提供することを目的としている。
【課題を解決するための手段】
【０００６】
上記目的を達成するために、本発明は以下の手段を提供する。
本発明の一態様は、
サンプルを明視野観察するためにサンプルに光を照射する明視野照明光学系と、
サンプルを蛍光観察するためにサンプルに励起光を照射する蛍光照明光学系と、
サンプルからの光を観察する観察光学系と、
少なくとも前記蛍光照明光学系を制御する制御部を備えた顕微鏡装置であって、
前記明視野照明光学系はサンプルへの光の照射を抑制する照射抑制手段を備え、
該照射抑制手段が前記明視野照明光学系によるサンプルへの光の照射を抑制している時は、前記制御手段が前記蛍光照明光学系によりサンプルへの励起光の照射を行い、
前記照射抑制手段が明視野照明光学系によるサンプルへの光の照射を抑制していない時は、前記制御手段が前記蛍光照明光学系によりサンプルへの励起光の照射を抑制する顕微鏡装置を提供する。
【０００７】
本態様によって、同一のサンプルについて、ユーザが明視野観察と蛍光観察を簡易に切替えながら観察することが可能となる。
【０００８】
また、上記態様においては、前記照射抑制手段がシャッタを備え、該シャッタを前記明視野照明光学系の光路に挿入することで前記明視野照明光学系によるサンプルへの光の照射を遮断すると、それに連動して前記制御手段が前記蛍光照明光学系によりサンプルへの励起光の照射を行い、前記シャッタを前記明視野照明光学系の光路から離脱させることで前記明視野照明光学系によりサンプルへ光を照射すると、それに連動して前記制御手段が前記蛍光照明光学系によりサンプルへの励起光の照射を抑制してもよい。
【０００９】
また、上記態様においては、前記照射抑制手段がシャッタ検知手段を備え、前記制御部は、前記シャッタ検知手段を介して前記明視野照明光学系の光路に前記シャッタが挿入または離脱されたことを検知し、前記シャッタが挿入されたことを検知した場合に前記蛍光照明光学系によりサンプルへの励起光の照射を行い、前記シャッタが離脱されたことを検知した場合に前記蛍光照明光学系によりサンプルへの励起光の照射を抑制してもよい。
【００１０】
また、上記態様においては、前記シャッタ検知手段は、明視野観察と蛍光観察を識別するためのマーカーと、該マーカーを検出するセンサとを備え、前記制御部は、前記センサが検出したマーカーの情報を取得することで前記明視野照明光学系の光路に前記シャッタが挿入または離脱されたことを検知し、前記シャッタが挿入されたことを検知した場合に前記蛍光照明光学系によりサンプルへの励起光の照射を行い、前記シャッタが離脱されたことを検知した場合に前記蛍光照明光学系によりサンプルへの励起光の照射を抑制してもよい。
【００１１】
また、上記態様においては、前記照射抑制手段が前記明視野照明光学系の光源のON/OFFを切替るスイッチであり、該スイッチをOFFにすることで前記明視野照明光学系によるサンプルへの光の照射を遮断すると、それに連動して前記制御手段が前記蛍光照明光学系によりサンプルへの励起光の照射を行い、前記スイッチをONにすることで前記明視野照明光学系によりサンプルへ光を照射すると、それに連動して前記制御手段が前記蛍光照明光学系によりサンプルへの励起光の照射を抑制してもよい。
【００１２】
本発明のほかの一態様は、
サンプルを明視野観察および蛍光観察するためにサンプルに光を照射する照明光学系と、
サンプルからの光を観察する観察光学系と、
明視野観察と蛍光観察を切替える切替え機構を備えた顕微鏡装置であって、
前記切替え機構は、光路上にNDフィルタまたは励起フィルタを配置するための第１切替え手段と、光路上にエミッションフィルタ挿脱するための第２切替え手段と、少なくとも該第２切替え手段を制御する制御部を備え、
前記第１切替え手段により光路上に励起フィルタが挿入されると、前記制御手段が前記第２切替え手段により前記エミッションフィルタを光路上に挿入し、
前記第１切替え手段により光路上にNDフィルタが挿入されると、前記制御手段が前記第２切替え手段により前記エミッションフィルタを光路上から離脱させる顕微鏡装置を提供する。
【００１３】
本態様によって、同一のサンプルについて、ユーザが明視野観察と蛍光観察を簡易に切替えながら観察することが可能となるとともに、光源の数を減らすことができシステムをコンパクトにすることが可能となる。
【００１４】
また、上記態様においては、前記第１切替え手段は、明視野観察と蛍光観察を識別するためのマーカーと、該マーカーを検出するセンサとを備え、前記制御部が、前記センサが検出したマーカーの情報を取得することで、光路上に励起フィルタが挿入されたかNDフィルタが挿入されたかを識別してもよい。
【発明の効果】
【００１５】
本発明によれば、例えば明視野画像と蛍光画像など複数種類の画像をリアルタイムに簡易に切換えられる顕微鏡装置を提供することができるので、作業者の負担を軽減することができ、操作ミスのリスクを低減することができる。
【図面の簡単な説明】
【００１６】
【図１】本発明の第1実施形態にかかる顕微鏡システムの概略構成を示す説明図である。
【図２】本発明のスライダ、プリズム、蛍光ターレットの概略構成を示す説明図である。
【図３】本発明の第１実施形態にかかる顕微鏡システムのスライダ（照射抑制手段）の概略構成を示す説明図である。
【図４】本発明の第１実施形態にかかる顕微鏡システムのスライダ（照射抑制手段）の概略構成を示す説明図である。
【図５】本発明の第１実施形態にかかる顕微鏡システムのスライダ（照射抑制手段）の概略構成を示す説明図である。
【図６】本発明の第１実施形態にかかる顕微鏡システムのスライダ（照射抑制手段）の概略構成を示す説明図である。
【図７】本発明の第１実施形態にかかる顕微鏡システムの変形例の概略構成を示す説明図である。
【図８】本発明の第１実施形態にかかる顕微鏡システムの変形例の概略構成を示す説明図である。
【図９】本発明の第２実施形態にかかる顕微鏡システムの概略構成を示す説明図である。
【図１０】本発明の第２実施形態にかかる顕微鏡システムの変形例の概略構成を示す説明図である。
【図１１】本発明の第３実施形態にかかる顕微鏡システムの概略構成を示す説明図である。
【図１２】本発明の第１切替え手段、第２切替え手段の概略構成を示す説明図である。
【図１３】本発明の第１実施形態にかかる顕微鏡システムの変形例の概略構成を示す説明図である。
【図１４】本発明の第３実施形態にかかる顕微鏡システムの変形例の概略構成を示す説明図である。
【図１５】本発明の第１実施形態にかかる顕微鏡システムの変形例の概略構成を示す説明図である。
【図１６】本発明の位相差用ターレットの概略構成を示す説明図である。
【図１７】本発明の第１実施形態にかかる顕微鏡システムの蛍光照明光学系の変形例の概略構成を示す説明図である。
【図１８】本発明の第１実施形態にかかる顕微鏡システムの変形例の概略構成を示す説明図である。
【発明を実施するための形態】
【００１７】
（第１実施形態）
本実施形態に係る顕微鏡１００は、図１に示される構成の顕微鏡である。
【００１８】
サンプルに対して落射照明する蛍光照明光学系１と、サンプルに対して透過照明する明視野照明光学系２と、サンプルからの光を観察する観察光学系３を有しており、少なくとも蛍光照明光学系１は制御部５により制御されている。
【００１９】
蛍光照明光学系１は、蛍光観察する際に励起光をサンプルに照射する光学系である。励起光源として複数のLED（蛍光照明用LED）２３、２４、２５を有しており、それぞれ波長の異なる光を発する。各光源からの光はダイクロイックミラー４により励起光照射光路２８に導入され、コリメートレンズ１６により略平行光となり、レンズ１４及びレンズ１５を通過し蛍光キューブ９に入射する。蛍光キューブ９内の励起光フィルタにより所望の波長の励起光のみが選択された後、蛍光キューブ９内のダイクロイックミラーによってサンプル方向に反射され、対物レンズ１０によりステージ１１上のサンプル２７に集光される。
ここで、蛍光キューブ９は蛍光ターレット８内に設置されている。蛍光ターレット８は、例えば図２（ｄ）に示す構造をしており、複数種類の蛍光キューブ３５、３６、３７を設置することができるとともに、蛍光キューブを設置せずに穴部３４として光を通過させることもできる。複数の蛍光キューブ３５、３６、３７はそれぞれLED２３、２４，２５に対応する蛍光キューブである。
【００２０】
明視野照明光学系２は、明視野観察する際にサンプルを照明する光学系である。光源であるLED（透過照明用LED）２６から照射された光は、コリメートレンズ２１により略平行光となり、レンズ２０を通過してミラー２２によってサンプル２７方向に反射され、レンズ１９、コンデンサレンズ１７を介してステージ１１上のサンプル２７に照射される。
【００２１】
観察光学系３は、サンプル２７からの光をCCDカメラ６または目視により観察する光学系である。対物レンズ１０、蛍光ターレット８を通過したサンプル２７からの光は、結像レンズ１３を通過し、プリズム１２によりCCDカメラ６と接眼レンズ７に分光されて観察される。
ここで、プリズム１２は、図２（ｃ）に示す三角柱状の構造をしており、その一部がミラー３３となっている。プリズム１２は図２（ｃ）に示す矢印方向に移動可能となっており、光路上にミラー３３を出し入れすることにより、光をCCDカメラ６と接眼レンズ７のいずれかの方向に反射または透過することができる。また、ハーフミラーを採用すれば、光をCCDカメラ６と接眼レンズ７の双方に反射または透過することもできる。
【００２２】
つぎに、顕微鏡１００を使って明視野観察をする場合を説明する。
LED２６は電源ONの状態に、LED２３，２４，２５は電源OFFの状態にし、蛍光ターレット８は蛍光キューブがない穴部３４が光路上に配置された状態にする。LED２６から照射された光は、コリメートレンズ２１により略平行光となり、レンズ２０を介してミラー２２によってサンプル２７方向に反射される。反射された光はレンズ１９を介してスライダ１８（照射抑制手段）に到達する。スライダ１８は図２（ａ）に示す構造をしており、明視野観察の際は、穴部３１が光路上に配置されるようにスライドされ、光はスライダ１８を通過しコンデンサレンズ１７を介してステージ１１上のサンプル２７に照射される。サンプル２７を透過した光は対物レンズ１０、蛍光ターレット８の穴部３４、結像レンズ１３を通過し、プリズム１２によりCCDカメラ６と接眼レンズ７に分けられ、両方またはどちらか一方で観察される。
【００２３】
つぎに、顕微鏡１００を使って蛍光観察をする場合を説明する。LED２３、２４、２５のいずれか１つを電源ONの状態に、LED２６は電源OFFの状態にし、蛍光ターレット８は、LED２３、２４、２５のうちで電源ONになっているLEDに対応する蛍光キューブが光路上に配置された状態にする。LED２３、２４、２５のうちで電源ONになっているLEDから照射された励起光は、コリメータレンズ１６により略平行光となり、レンズ１４、レンズ１５を通過し、蛍光キューブ９内の励起光フィルタにより所望の波長の励起光のみが選択された後、蛍光キューブ９内のダイクロイックミラーによってサンプル方向に反射され、対物レンズ１０によりステージ１１上のサンプル２７に集光される。励起光の照射によりサンプル２７から発生した蛍光は、対物レンズ１０により集光され、蛍光キューブ９内のダイクロイックミラーを通過し、蛍光キューブ９内の蛍光フィルタにより所望の波長の蛍光だけが選択された後、結像レンズ１３を通過してプリズム１２によりCCDカメラ６と接眼レンズ７に分けられ、両方またはどちらか一方で観察される。
【００２４】
つぎに、顕微鏡１００を使って明視野観察と蛍光観察を切替える方法について説明する  。
明視野観察から蛍光観察へと切替える場合は、ユーザがスライダ１８をスライドさせ穴部３１を光路上からはずし穴のない箇所（シャッタ）を光路上に配置すると、それに連動してLED２３、２４、２５のうちのいずれかの電源がONになるとともに、蛍光ターレット８が回転して対応する蛍光キューブ９が光路上に配置される。逆に蛍光観察から明視野観察へと切替える場合は、ユーザがスライダ１８をスライドさせ穴部３１を光路上に配置すると、それに連動してLED２３、２４、２５の電源がOFFになるとともに蛍光ターレット８が回転し  蛍光キューブが存在しない穴部３４が光路上に配置される。
【００２５】
つぎにユーザによるスライダ１８の切替えについて説明する。
まず、スライダ１８の構成の一例を図３に示す。スライダ１８は図３（ａ）に示す穴部３１を有する板状部材４０と、図３（ｂ）に示す穴部５２を有するレール部４１からなり、板状部材４０がレール部４１にスライド可能に載置されている。板状部材４０は切欠き部４２、４３、４４、４５を有しており、切欠き部４２は明視野観察に、切欠き部４３は蛍光観察Aに、切欠き部４４は蛍光観察Bに、切欠き部４５は蛍光観察Cに対応している。ここで、蛍光観察A、蛍光観察B、蛍光観察Cは、それぞれ異なる波長の蛍光観察である。
【００２６】
一方レール部４１は、板状部材４０の切欠き部にはまり込む凸部５１を有しており、ユーザが凸部５１を所望の観察（明視野観察、蛍光観察A、蛍光観察B、蛍光観察C）に対応する切欠き部にはまるように板状部材４０をスライドさせることにより、制御部５を介して所望の観察条件を設定することができる。
【００２７】
例えば、ユーザが明視野観察をしようとする場合、凸部５１が切欠き部４２にはまるように板状部材４０をスライドさせると、板状部材４０の穴部３１が光軸上に配置されるとともにその情報が制御部５に伝わり、制御部５が明視野観察の設定を行う。このとき、板状部材４０の穴部３１とレール部４１の穴部５２が光軸上で重なり、光源２６からの光が通過することができるようになる。
【００２８】
また、ユーザが蛍光観察Aをしようとする場合、凸部５１が切欠き部４３にはまるように板状部材４０をスライドさせると、板状部材４０の穴部３１が光軸上から外れるとともにその情報が制御部５に伝わり、制御部５が蛍光観察Aの設定を行う。このときレール部４１の穴部５２は、板状部材４０の穴のない箇所（シャッタ）と重なり、光源２６からの光を遮断することができる。
上記はレール部４１が穴部５２を有する態様であるが、穴部ではなく底面全体が空いているなど、少なくとも光軸と重なる箇所で光を遮らない構造となっていれば良い。
【００２９】
つぎにユーザによるスライダ１８の切替えの検知について図４を用いて一例を説明する。なお、図３と同じ符号を付した構成は図３のスライダと同じ機能を有する。
板状部材４０は、切欠き部４３、４４、４５に対応づいた箇所にマグネット４７、４８、４９を備え、レール部４１はマグネット４７、４８、４９を検知する磁気センサ４６を備えている。また、レール部４１は、板状部材４０がスライド方向に移動することによりスイッチをON/OFF可能なリミットスイッチ５３を備えている。
【００３０】
ユーザが明視野観察を希望する場合（図４（ａ））、ユーザはスライダ１８をスライドさせ、明視野観察に対応する切欠き部４２を凸部５１にはめ込む。その状態では、スライダ１８の穴部３１が光軸上に配置され、スライダ１８の穴部３１とレール部４１の穴部５２が光軸上で重なるため光源２６からの光が通過する。この時のスライダ１８は、リミットスイッチ５３を押し込む位置に配置され、リミットスイッチ５７のスイッチをONの状態にする。制御部５はリミットスイッチ５３がONとなったことを識別し、蛍光照明光学系１を制御して明視野観察が可能な状態にLEDおよび蛍光キューブの設定を行う。つまり、蛍光照明光学系１のLEDの電源をOFFとし、蛍光ターレットを回転させて蛍光キューブがない穴部３４を光路上に配置する。
【００３１】
ユーザが蛍光観察Aを希望する場合（図４（ｂ））、ユーザはスライダ１８をスライドさせ、蛍光観察Aに対応する切欠き部４３を凸部５１にはめ込む。その状態では、スライダ１８の穴部３１が光軸上からはずれ、穴部のない箇所（シャッタ）が光路上に配置されるため光源２６からの光が遮断される。この時のスライダ１８はリミットスイッチ５３を押し込まない位置に配置され、リミットスイッチ５３のスイッチがOFFの状態となり、それを制御部５が識別する。また、スライダ１８をスライドする過程で磁気センサ４６はマグネット４７に対峙することになり、磁気センサ５６が３つのマグネットのうちの１つのマグネットを検出したこと（１カウント）を制御部５が識別する。制御部５は、リミットスイッチ５３がOFFで且つ磁気センサ５６が３つのマグネットのうち１つのマグネットを検出したこと（１カウント）を識別し、蛍光照明光学系１を制御して蛍光観察Aが可能な状態にLEDおよび蛍光キューブの設定を行う。つまり、蛍光観察A用のLEDの電源をONとし、蛍光ターレットを回転させて蛍光観察A用の蛍光キューブを光軸上に配置する。
【００３２】
ユーザが蛍光観察Bを希望する場合（図４（ｃ））、ユーザはスライダ１８をスライドさせ、蛍光観察Bに対応する切欠き部４４を凸部５１にはめ込む。その状態では、スライダ１８の穴部３１が光軸上からはずれ、穴部のない箇所（シャッタ）が光路上に配置されるため光源２６からの光が遮断される。この時のスライダ１８はリミットスイッチ５３を押し込まない位置に配置され、リミットスイッチ５３のスイッチがOFFの状態となり、それを制御部５が識別する。また、スライダ１８をスライドする過程で磁気センサ４６はマグネット４７とマグネット４８と順次対峙することになり、磁気センサ４６が３つのマグネットのうちの２つのマグネットを検出したこと（２カウント）を制御部５が識別する。制御部５は、リミットスイッチ５３がOFFで、且つ磁気センサ４６が２つのマグネットを検出したこと（２カウント）を識別し、蛍光照明光学系１を制御して蛍光観察Bが可能な状態にLEDおよび蛍光キューブの設定を行う。つまり、蛍光観察B用のLEDの電源をONとし、蛍光ターレットを回転させて蛍光観察B用の蛍光キューブを光軸上に配置する。
【００３３】
ユーザが蛍光観察Cを希望する場合（図４（ｄ））、ユーザはスライダ１８をスライドさせ、蛍光観察Cに対応する切欠き部４５を凸部５１にはめ込む。その状態では、スライダ１８の穴部３１が光軸上からはずれ、穴部のない箇所（シャッタ）が光路上に配置されるため光源２６からの光が遮断される。この時のスライダ１８はリミットスイッチ５３を押し込まない位置に配置され、リミットスイッチ５３のスイッチがOFFの状態となり、それを制御部５が識別する。また、スライダ１８をスライドする過程で磁気センサ４６はマグネット４７とマグネット４８とマグネット４９と順次対峙することになり、磁気センサ４６が３つのマグネットのうちの３つのマグネットを検出したこと（３カウント）を制御部５が識別する。制御部５は、リミットスイッチ５３がOFFで、且つ磁気センサ４６が３つのマグネットを検出したこと（３カウント）を識別し、蛍光照明光学系１を制御して蛍光観察Cが可能な状態にLEDおよび蛍光キューブの設定を行う。つまり、蛍光観察C用のLEDの電源をONとし、蛍光ターレットを回転させて蛍光観察C用の蛍光キューブを光軸上に配置する。
【００３４】
つぎにユーザによるスライダ１８の切替えの検知について図５（ａ）を用いて別の例を説明する。
図５（ａ）に記載のスライダ１２００は、板状部材４０の適当な1箇所（例えば図のように切欠き部４５の逆側対称位置）にマグネット５４を備え、レール部４１にマグネット５４を検知する磁気センサ５５ａ、５５ｂ、５５ｃ、５５ｄを備えている。マグネット５４および磁気センサ５５ａ、５５ｂ、５５ｃ、５５ｄの配置は、切欠き部４２、４３、４４、４５に対応付けて配置されている。つまり、切欠き部４２、４３、４４、４５のいずれかに凸部５１がはめ込まれた状態において、磁気センサ５５ａ、５５ｂ、５５ｃ、５５ｄのいずれかがマグネット５４に対峙するように配置されている。磁気センサは制御部５に情報を伝達することが可能であり、制御部５は磁気センサ５５ａ、５５ｂ、５５ｃ、５５ｄのうちのいずれのセンサがマグネット５４を検出したかを識別することが可能である。このことにより、ユーザがどの切欠き部に凸部５１をはめ込んだかを識別することができ、ユーザが所望する観察方法を検知することが可能となる。ここで、板状部材４０の切欠き部４２、４３、４４、４５は、切欠き部４２が明視野観察に、切欠き部４３が蛍光観察Aに、切欠き部４４が蛍光観察Bに、切欠き部４５が蛍光観察Cに対応している。
【００３５】
ユーザが明視野観察を希望する場合、ユーザは板状部材４０をスライドさせ、明視野観察に対応する切欠き部４２を凸部５１にはめ込む。その状態では、板状部材４０の穴部３１が光路上に配置されレール部４１の穴部５２と光軸上で重なるため、光源２６からの光が通過できる状態となるとともに、マグネット５４が磁気センサ５５ｄに対峙することになり、磁気センサ５５ｄがマグネット５４を検出したことを制御部５が識別する。その情報を受け制御部５は、蛍光照明光学系１を制御して明視野観察が可能な状態にLEDおよび蛍光キューブの設定を行う。つまり、蛍光照明光学系１のLEDの電源をOFFとし、蛍光ターレットを回転させて蛍光キューブがない穴部３４を光路上に配置する。
【００３６】
ユーザが蛍光観察Aを希望する場合、ユーザは板状部材４０をスライドさせ、蛍光観察Aに対応する切欠き部４３を凸部５１にはめ込む。その状態では、板状部材４０の穴のない箇所（シャッタ）が光路上に配置され光源２６からの光が遮断されるとともに、マグネット５４が磁気センサ５５ｃに対峙することになり、磁気センサ５５ｃがマグネット５４を検出したことを制御部５が識別する。その情報を受け制御部５は、蛍光照明光学系１を制御して蛍光観察Aが可能な状態にLEDおよび蛍光キューブの設定を行う。つまり、蛍光観察A用のLEDの電源をONとし、蛍光ターレットを回転させて蛍光観察A用の蛍光キューブを光軸上に配置する。
【００３７】
ユーザが蛍光観察Bを希望する場合、ユーザは板状部材４０をスライドさせ、蛍光観察Bに対応する切欠き部４４を凸部５１にはめ込む。その状態では、板状部材４０の穴のない箇所（シャッタ）が光路上に配置され光源２６からの光が遮断されるとともに、マグネット５４が磁気センサ５５ｂに対峙することになり、磁気センサ５５ｂがマグネット５４を検出したことを制御部５が識別する。その情報を受け制御部５は、蛍光照明光学系１を制御して蛍光観察Bが可能な状態にLEDおよび蛍光キューブの設定を行う。つまり、蛍光観察B用のLEDの電源をONとし、蛍光ターレットを回転させて蛍光観察B用の蛍光キューブを光軸上に配置する。
【００３８】
ユーザが蛍光観察Cを希望する場合、ユーザは板状部材４０をスライドさせ、蛍光観察Cに対応する切欠き部４５を凸部５１にはめ込む。その状態では、板状部材４０の穴のない箇所（シャッタ）が光路上に配置され光源２６からの光が遮断されるとともに、マグネット５４が磁気センサ５５ａに対峙することになり、磁気センサ５６がマグネット５５ａを検出したことを制御部５が識別する。その情報を受け制御部５は、蛍光照明光学系１を制御して蛍光観察Cが可能な状態にLEDおよび蛍光キューブの設定を行う。つまり、蛍光観察C用のLEDの電源をONとし、蛍光ターレットを回転させて蛍光観察C用の蛍光キューブを光軸上に配置する。
【００３９】
つぎにユーザによるスライダ１８の切替えの検知について図５（ｂ）を用いて別の例を説明する。
図５（ｂ）に記載のスライダ１３００は、板状部材４０の切欠き部４３、４４、４５に対応する裏面の箇所に光センサ５９ａ、５９ｂ、５９ｃを備えている。光センサは制御部５に情報を伝達することが可能であり、制御部５は光センサ５９ａ、５９ｂ、５９ｃのうちのいずれのセンサが光源２６からの光を検出したかを識別することが可能である。このことにより、ユーザがどの切欠き部を凸部５１にはめ込んだかを識別することができ、ユーザが所望する観察方法を検出することが可能となる。ここで、板状部材４０の切欠き部４２、４３、４４、４５は、切欠き部４２が明視野観察に、切欠き部４３が蛍光観察Aに、切欠き部４４が蛍光観察Bに、切欠き部４５が蛍光観察Cに対応している。
【００４０】
ユーザが蛍光観察Aを希望する場合、ユーザは板状部材４０をスライドさせ、蛍光観察Aに対応する切欠き部４３を凸部５１にはめ込む。その状態では、板状部材４０の穴のない箇所（シャッタ）が光路上に配置され光源２６からの光が遮断されるとともに、光センサ５９ａが光軸上に位置することになり、光源２６からの光を検出したことを制御部５が識別する。その情報を受け制御部５は、蛍光照明光学系１を制御して蛍光観察Aが可能な状態にLEDおよび蛍光キューブの設定を行う。つまり、蛍光観察A用のLEDの電源をONとし、蛍光ターレットを回転させて蛍光観察A用の蛍光キューブを光軸上に配置する。
【００４１】
ユーザが蛍光観察Bを希望する場合、ユーザは板状部材４０をスライドさせ、蛍光観察Bに対応する切欠き部４４を凸部５１にはめ込む。その状態では、板状部材４０の穴のない箇所（シャッタ）が光路上に配置され光源２６からの光が遮断されるとともに、光センサ５９ｂが光軸上に位置することになり、光源２６からの光を検出したことを制御部５が識別する。その情報を受け制御部５は、蛍光照明光学系１を制御して蛍光観察Bが可能な状態にLEDおよび蛍光キューブの設定を行う。つまり、蛍光観察B用のLEDの電源をONとし、蛍光ターレットを回転させて蛍光観察B用の蛍光キューブを光軸上に配置する。
【００４２】
ユーザが蛍光観察Cを希望する場合、ユーザは板状部材４０をスライドさせ、蛍光観察Cに対応する切欠き部４５を凸部５１にはめ込む。その状態では、板状部材４０の穴のない箇所（シャッタ）が光路上に配置され光源２６からの光が遮断されるとともに、光センサ５９ｃが光軸上に位置することになり、光源２６からの光を検出したことを制御部５が識別する。その情報を受け制御部５は、蛍光照明光学系１を制御して蛍光観察Cが可能な状態にLEDおよび蛍光キューブの設定を行う。つまり、蛍光観察C用のLEDの電源をONとし、蛍光ターレットを回転させて蛍光観察C用の蛍光キューブを光軸上に配置する。
【００４３】
ユーザが明視野観察を希望する場合、ユーザは板状部材４０をスライドさせ、明視野観察に対応する切欠き部４２を凸部５１にはめ込む。その状態では、板状部材４０の穴部３１が光路上に配置されレール部４１の穴部５２と光軸上で重なるため、光源２６からの光が通過できる状態となるとともに、いずれの光センサも光源２６からの光を検出していないことを制御部５が識別する。その情報を受け制御部５は、蛍光照明光学系１を制御して明視野観察が可能な状態にLEDおよび蛍光キューブの設定を行う。つまり、蛍光照明光学系１のLEDの電源をOFFとし、蛍光ターレットを回転させて蛍光キューブがない穴部３４を光路上に配置する。
【００４４】
上記は、ユーザがスライダを用いて観察の切替えを行う例であるが、スライダのかわりにターレットを用いても良い。次にユーザによるターレットの切替えの検知の一例について図６を用いて説明する。
ターレット１４００は穴部６８を有する円盤部材６２と円盤部材６２をその周方向に回転可能に配置できるホルダ６１から構成されている。円盤部材６２には、観察条件（明視野観察、蛍光観察A、蛍光観察B、蛍光観察C）毎に領域（明視野観察領域６２ａ、蛍光観察A領域６２ｂ、蛍光観察B領域６２ｃ、蛍光観察C領域６２ｄ）が割り振られており、明視野観察、蛍光観察A、蛍光観察B、蛍光観察Cを識別するためのマーカー６３が各領域の円盤部材側面に付与されている。例えば、明視野観察領域６２ａの側面には４個のマーカー６３が、蛍光観察A領域６２ｂの側面には３個のマーカー６３が、蛍光観察B領域６２ｃの側面には２個のマーカー６３が、蛍光観察C領域６２ｄの側面には１個のマーカー６３が付与されており、各領域を識別可能になっている。また、穴部６８は明視野観察領域を貫通している。一方、ホルダ６１には、円盤部材側面に付与されたマーカー６３を検出することができるセンサ６４が４個配置されている。ここで、１個のセンサ６４が１個のマーカー６３を検出することができるようになっており、側面にいくつのマーカー６３が存在するかを識別可能になっている。また、ホルダ６１の底面は、光軸と重なる箇所に穴部を有しているなど、少なくとも光軸と重なる箇所で光を遮らない構造となっている。
【００４５】
ユーザが明視野観察を希望する場合、ユーザは円盤部材６２を明視野観察に対応する箇所に回転させる。その状態では、円盤部材６２の穴部６８が光路上に配置されるとともに、明視野観察に対応する４個のマーカー６３がセンサ６４に対峙するように各構成物の位置決めがされている。したがって、光源２６からの光は円盤部材６２の穴部６８を通過することができるとともに、センサ６４が４個のマーカー６３を検出したことを制御部５が識別し、蛍光照明光学系１を制御して明視野観察が可能な状態にLEDおよび蛍光キューブの設定を行う。つまり、蛍光照明光学系１のLEDの電源をOFFとし、蛍光ターレットを回転させて蛍光キューブがない穴部３４を光路上に配置する。
【００４６】
ユーザが蛍光観察Aを希望する場合、ユーザは円盤部材６２を蛍光観察Aに対応する箇所に回転させる。その状態では、円盤部材６２の穴部６８が光路上からはずれるとともに、蛍光観察Aに対応する３個のマーカー６３がセンサ６４に対峙するように各構成物の位置決めがされている。したがって、光源２６からの光は円盤部材６２の穴のない箇所（シャッタ）により遮断されるとともに、センサ６４が３個のマーカー６３を検出したことを制御部５が識別し、蛍光照明光学系１を制御して蛍光観察Aが可能な状態にLEDおよび蛍光キューブの設定を行う。つまり、蛍光観察A用のLEDの電源をONとし、蛍光ターレットを回転させて蛍光観察A用の蛍光キューブを光軸上に配置する。
【００４７】
ユーザが蛍光観察Bを希望する場合、ユーザは円盤部材６２を蛍光観察Bに対応する箇所に回転させる。その状態では、円盤部材６２の穴部６８が光路上からはずれるとともに、蛍光観察Bに対応する２個のマーカー６３がセンサ６４に対峙するように各構成物の位置決めがされている。したがって、光源２６からの光は円盤部材６２の穴のない箇所（シャッタ）により遮断されるとともに、センサ６４が２個のマーカー６３を検出したことを制御部５が識別し、蛍光照明光学系１を制御して蛍光観察Bが可能な状態にLEDおよび蛍光キューブの設定を行う。つまり、蛍光観察B用のLEDの電源をONとし、蛍光ターレットを回転させて蛍光観察B用の蛍光キューブを光軸上に配置する。
【００４８】
ユーザが蛍光観察Cを希望する場合、ユーザは円盤部材６２を蛍光観察Cに対応する箇所に回転させる。その状態では、円盤部材６２の穴部６８が光路上からはずれるとともに、蛍光観察Cに対応する１個のマーカー６３がセンサ６４に対峙するように各構成物の位置決めがされている。したがって、光源２６からの光は円盤部材６２の穴のない箇所（シャッタ）により遮断されるとともに、センサ６４が１個のマーカー６３を検出したことを制御部５が識別し、蛍光照明光学系１を制御して蛍光観察Cが可能な状態にLEDおよび蛍光キューブの設定を行う。つまり、蛍光観察C用のLEDの電源をONとし、蛍光ターレットを回転させて蛍光観察C用の蛍光キューブを光軸上に配置する。
【００４９】
次に、本実施形態の変形例を説明する。
図１においては、スライダ１８をレンズ１９とコンデンサレンズ１７の間に設置しているが、例えば図７に示すように、レンズ２０とミラー２２の間に配置しても良い。
本実施形態によれば、スライダ１８またはターレットはユーザが顕微鏡を操作する手元にさらに近傍に位置しており、ユーザは顕微鏡を操作しながら手元で明視野観察と蛍光観察の切替えをさらに簡便に行うことができる。
【００５０】
次に、別の変形例を図８に示す。
本変形例は、スライダ１８の後ろ側の光の有無を検出することにより、明視野観察と蛍光観察を切替えるものである。図８に示すようにスライダ１８の後ろ側の光の一部を光ファイバ５７により誘導し、光ファイバ５７のもう一方の端に設置したセンサ５６により光の有無を検出する。ユーザがスライダ１８をスライドさせ穴部３１を光路上から退避させ穴のない箇所（シャッタ）により光を遮断すると、センサ５６により光が検出されなくなり、それに連動してLED２３，２４，２５の電源がONになるとともに蛍光ターレット８が回転し蛍光キューブ９が光路上に配置される。逆にユーザがスライダ１８をスライドして穴部３１を光路上に配置させると、センサ５６により光が検出されるようになり、それに連動して、LED２３，２４，２５の電源がOFFになるとともに蛍光ターレット８が回転し蛍光キューブが存在しない穴部３４が光路上に配置される。
【００５１】
本実施形態および変形例において、スライダおよびターレットの各構成物（切欠き部、凸部、マグネット、磁気センサ、光センサ、リミットスイッチ  など）の配置、数等は一例を示したものであり、適宜変更し最適化すればよい。
また、励起光光源としてのLEDは所望の数を設置すれば良く、それぞれに対応した蛍光キューブを設置すれば良い。
【００５２】
（第２実施形態）
上記第１実施形態は、ユーザによるスライダ１８の切替えに連動して明視野観察と蛍光観察を切替える態様であるが、本実施形態は、ユーザによるLED２６のON/OFFの切替えに連動して明視野観察と蛍光観察を切替える態様である。
【００５３】
図９に記載された顕微鏡４００を使って明視野観察をする場合を説明する。
LED２６は電源ONの状態に、LED２３，２４，２５は電源OFFの状態になっており、蛍光ターレット８は蛍光キューブがない穴部３４が光路上に配置された状態になっている。LED２６から照射された光は、コリメートレンズ２１により平行光となり、レンズ２０を介してミラー２２によってサンプル２７方向に反射される。反射された光はコンデンサレンズ１７を介してステージ１１上のサンプル２７に照射される。サンプル２７を透過した光は対物レンズ１０、蛍光ターレット８の穴部３４、結像レンズ１３を通過し、プリズム１２によりCCDカメラ６と接眼レンズ７に分けられ、両方またはどちらか一方で観察される。
【００５４】
つぎに、顕微鏡４００を使って蛍光観察をする場合を説明する。LED２３，２４，２５のいずれかが電源ONの状態に、LED２６は電源OFFの状態になっており、蛍光ターレット８は蛍光キューブ９が光路上に配置された状態になっている。LED２３，２４，２５のいずれかから照射された励起光は、コリメータレンズ１６により略平行光となり、レンズ１４、レンズ１５を通過し、蛍光キューブ９内の励起光フィルタにより所望の波長の励起光のみが選択された後、蛍光キューブ９内のダイクロイックミラーによってサンプル方向に反射され、対物レンズ１０によりステージ１１上のサンプル２７に集光される。励起光の照射によりサンプル２７から発生した蛍光は対物レンズ１０を通過し、蛍光キューブ９内のダイクロイックミラーを通過し、蛍光キューブ９内の蛍光フィルタにより所望の波長の蛍光だけが選択された後、結像レンズ１３を通過してプリズム１２によりCCDカメラ６と接眼レンズ７に分けられ、両方またはどちらか一方で観察される。
【００５５】
つぎに、顕微鏡４００を使って明視野観察と蛍光観察を切替える方法について説明する  。
明視野観察から蛍光観察へと切替える場合は、ユーザがLED２６の電源をOFFの状態にするとそれに連動してLED２３，２４，２５の電源がONになるとともに蛍光ターレット８が回転し蛍光キューブ９が光路上に配置される。逆に蛍光観察から明視野観察へと切替える場合は、ユーザがLED２６の電源をONの状態にするとそれに連動して、LED２３，２４，２５の電源がOFFになるとともに蛍光ターレット８が回転し  蛍光キューブが存在しない穴部３４が光路上に配置される。
ここで、LED２３，２４，２５のうちどの電源をONするかは、ユーザがあらかじめ選択しておけば良い。
【００５６】
ユーザによるLED２６の電源のON/OFの切替えの検知については、例えば、ユーザによる切換えを制御部５が検知し、制御部がLED２３，２４，２５の電源と蛍光ターレット８の回転を制御することになっていれば良い。つまり、ユーザがLED２６の電源をOFFにしたことに連動して、制御部５がLED２３，２４，２５の電源をONにするとともに蛍光ターレット８を回転して対応する蛍光キューブを光路上に配置する。逆にユーザがLED２６の電源をONにしたことに連動して、制御部５がLED２３，２４，２５の電源をOFFにするとともに蛍光ターレット８を回転して蛍光キューブがない穴部３４を光路上に配置する。
この場合、LED２６の電源をユーザが顕微鏡を操作する手元に配置することにより、ユーザは顕微鏡を操作しながら手元で明視野観察と蛍光観察の切替えを簡便にすることができる。
【００５７】
本実施形態の変形例を図１０に示す。本変形例は、LED２６からの光の有無を検出することにより、明視野観察と蛍光観察を切替える態様である。図１０に示すようにLED２６が発する光の一部を光ファイバ５７により誘導し、光ファイバ５７のもう一方の端に設置したセンサ５６により光の有無を検出する。ユーザがLED２６の電源をOFFにすると、センサ５６により光が検出されなくなり、それに連動してLED２３，２４，２５の電源がONになるとともに蛍光ターレット８が回転し蛍光キューブ９が光路上に配置される。逆にユーザがLED２６の電源をONにすると、センサ５６により光が検出されるようになり、それに連動して、LED２３，２４，２５の電源がOFFになるとともに蛍光ターレット８が回転し  蛍光キューブが存在しない穴部３４が光路上に配置される。
【００５８】
（第３実施形態）
本実施形態に係る顕微鏡６００は、図１１に示される構成のものである。
【００５９】
サンプルに対して光を照射する照明光学系６５と、サンプルからの光を観察する観察光学系６６と、明視野観察と蛍光観察を切替える切替え機構６７を有している。
【００６０】
照明光学系６５は、明視野観察する際の透過照明光または蛍光観察する際の励起光をサンプルに照射する光学系である。LED２９から照射された光は、コリメートレンズ２１により略平行光となり、レンズ２０を通過してミラー２２によってサンプル２７方向に反射され、レンズ１９、第１切替え手段６８、コンデンサレンズ１７を介してステージ１１上のサンプル２７に照射される。
【００６１】
観察光学系６６は、サンプル２７からの光をCCDカメラ６または目視により観察する光学系である。対物レンズ１０を通過したサンプル２７からの光は、第２切替え手段６９、結像レンズ１３を通過し、プリズム１２によりCCDカメラ６と接眼レンズ７に分けられ、両方またはどちらか一方で観察される。
【００６２】
切替え機構６７は、第１切替え手段６８、第２切替え手段６９、および、少なくとも第２切替え手段６９を制御する制御部５とから構成されている。
第１切替え手段６８は、例えば図１２（ａ）のようなスライダ状の手段であり、NDフィルタ７１、励起フィルタ７２ａ、励起フィルタ７２ｂ、励起フィルタ７２ｃを光路上に切替え可能に配置する手段である。ここで、NDフィルタ７１、励起フィルタ７２ａ、励起フィルタ７２ｂ、励起フィルタ７２ｃは、それぞれ、明視野観察、蛍光観察A、蛍光観察B、蛍光観察Cに対応するフィルタである。
第２切替え手段６９は、例えば図１２（ｃ）のようなスライダ状の手段であり、穴部７３、エミッションフィルタ７４ａ、エミッションフィルタ７４ｂ、エミッションフィルタ７４ｃを光路上に切替え可能に配置する手段である。ここで、エミッションフィルタ７４ａ、エミッションフィルタ７４ｂ、エミッションフィルタ７４ｃは、それぞれ、蛍光観察A、蛍光観察B、蛍光観察Cに対応するフィルタである。
【００６３】
つぎに、顕微鏡６００を使って明視野観察をする場合を説明する。
LED２９から照射された光は、コリメートレンズ２１により略平行光となり、レンズ２０を介してミラー２２によってサンプル２７方向に反射される。反射された光はレンズ１９を介して第１切替え手段６８に到達する。第１切替え手段は図８（ａ）に示す構造をしており、明視野観察の際は、NDフィルタ７１が光路上に配置されるようにスライドされ、光はNDフィルタ７１を通過しコンデンサレンズ１７を介してステージ１１上のサンプル２７に照射される。サンプル２７を透過した光は、対物レンズ１０を介して第２切替え手段６９に到達する。第２切替え手段６９は図１２（ｃ）に示す構造をしており、明視野観察の際は、穴部７３が光路上に配置されるようにスライドし、光は穴部７３を通過し結像レンズ１３を介してプリズム１２によりCCDカメラ６と接眼レンズ７に分けられ、両方またはどちらか一方で観察される。
【００６４】
つぎに、顕微鏡６００使って蛍光観察をする場合を説明する。
LED２９から照射された光は、コリメートレンズ２１により略平行光となり、レンズ２０を介してミラー２２によってサンプル２７方向に反射される。反射された光はレンズ１９を介して第１切替え手段６８に到達する。第１切替え手段６８は図１２（ａ）に示す構造をしており、蛍光観察の際は、励起フィルタ７２ａ、励起フィルタ７２ｂ、励起フィルタ７２ｃのいずれかが光路上に配置されるようにスライドされ、光は励起フィルタにより所望の波長の光に選択され、コンデンサレンズ１７を介してステージ１１上のサンプル２７に照射される。励起光によりサンプル２７より発生した蛍光は、対物レンズ１０を介して第２切替え手段６９に到達する。第２切替え手段６９は図１２（ｃ）に示す構造をしており、蛍光観察の際は、エミッションフィルタ７４ａ、エミッションフィルタ７４ｂ、エミッションフィルタ７４ｃのいずれかが光路上に配置されるようにスライドし、光はエミッションフィルタを通過し結像レンズ１３を介してプリズム１２によりCCDカメラ６と接眼レンズ７に分けられ、両方またはどちらか一方で観察される。
【００６５】
つぎに、顕微鏡６００を使って明視野観察と蛍光観察を切替える方法について説明する  。
明視野観察から蛍光観察へと切替える場合は、ユーザが第１切替え手段６８をスライドさせNDフィルタ７１を光路上からはずし、励起フィルタ７２ａ、励起フィルタ７２ｂ、励起フィルタ７２ｃのいずれかがを光路上に配置すると、それに連動して第２切替え手段６９がスライドし、穴部７３が光路上からはずれ、対応するエミッションフィルタ（エミッションフィルタ７４ａ、エミッションフィルタ７４ｂ、エミッションフィルタ７４ｃのいずれか）が光路上に配置される。逆に蛍光観察から明視野観察へと切替える場合は、ユーザが第１切替え手段６８をスライドさせNDフィルタ７１を光路上に配置すると、それに連動して第２切替え手段６９がスライドし、穴部７３が光路上に配置される。
【００６６】
ユーザによる第１切替え手段６８の切替えの検知については、例えば、ユーザによる切替えを制御部５が検知し、第２切替え手段６９を制御することになっていれば良い。ユーザが第１切替え手段６８をスライドさせ、NDフィルタ７１、励起フィルタ７２ａ、励起フィルタ７２ｂ、励起フィルタ７２ｃのいずれかを光路上に配置すると、それに連動して制御部５が第２切替え手段６９をスライドし、第１切替え手段６４８で選択したフィルタに対応する穴部７３、エミッションフィルタ７４ａ、エミッションフィルタ７４ｂ、エミッションフィルタ７４ｃのいずれかを光路上に配置させる。つまり、制御部５は、ユーザが第１切替え手段６８によりどのフィルタを選択したかを識別し、それに対応するように第２切替え手段６９をスライドさせる。
この場合、第１切替え手段６８はユーザが顕微鏡を操作する手元に位置しており、ユーザは顕微鏡を操作しながら手元で明視野観察と蛍光観察の切替えを簡便にすることができる。
なお、ユーザが第１切替え手段６８で選択したフィルタの検知については、第１実施形態の手法と同様の例を採用すれば良い。
【００６７】
本実施形態および変形例において、第１切替え手段６４として図１２（ａ）のスライダに代えて図１２（ｂ）に示すようなターレット状手段を採用しても良い。
また、第２切替え手段６５として図１２（ｃ）のスライダに代えて図１２（ｄ）に示すようなターレット状手段を採用しても良い。
【００６８】
上記各実施形態およびその変形例においては、ユーザによる切替え動作に連動して明視野観察と蛍光観察を切替える例を示したが、制御部５が時間管理部（図示せず）を備え、ユーザが設定した時間間隔で明視野観察と蛍光観察が切替わる態様でも良い。
つまり、第１実施形態および変形例においては、ユーザによるスライダ１８の切替えに連動して明視野観察と蛍光観察を切替える例を示したが、制御部５が時間管理部（図示せず）を備え、ユーザが設定した時間間隔で制御部５がスライダ１８の切替えを行い、それに連動して明視野観察と蛍光観察が切替わる態様でも良い。
第２実施形態および変形例においては、ユーザによるLED２６の電源のON/OFの切替えに連動して明視野観察と蛍光観察を切替える例を示したが、制御部５が時間管理部（図示せず）を備え、ユーザが設定した時間間隔で制御部５がLED２６の電源のON/OFの切替えを行い、それに連動して明視野観察と蛍光観察が切替わる態様でも良い。
第３実施形態および変形例においては、ユーザによる第１切替え手段６８の切替えに連動して明視野観察と蛍光観察を切替える例を示したが、制御部５が時間管理部（図示せず）を備え、ユーザが設定した時間間隔で制御部５が第１切替え手段６８の切替えを行い、それに連動して明視野観察と蛍光観察が切替わる態様でも良い。
【００６９】
上記各実施形態において、装置の一部を着脱可能なユニットとして構成しても良い。
図１の顕微鏡１００について、例えば図１３に示すように、蛍光照明光学系１と制御部５とスライダ１８を蛍光観察ユニット８２として、顕微鏡本体８１に着脱可能な構成としても良い。
図１１の顕微鏡６００について、例えば図１４に示すように、第１切替え手段６８と第２切替え手段６９と制御部５を蛍光観察ユニット８３として、顕微鏡本体８１に着脱可能な構成としても良い。
このようなユニット構成にすることで、明視野観察のみを行う顕微鏡本体８１を簡易に蛍光観察も可能な装置に改変することが可能となる。
【００７０】
上記各実施形態において、例えば図１５に示すように位相差用ターレット９１を採用することで、明視野観察と位相差観察を切替え可能にしても良い。位相差用ターレット９１は図１６に示すように、明視野用開口９２および位相差用開口９３を備えており、明視野観察と位相差観察を切替えることができる。図１の顕微鏡１００の態様では、例えば、スライダ１８とコンデンサレンズ１７の間に配置すればよく、図１１の顕微鏡６００の態様では、例えば、第１切替え手段６４とコンデンサレンズ１７の間に配置すれば良い。
【００７１】
上記各実施形態において光源としてLEDを採用する例を示したが、レーザーダイオードやハロゲンランプ、メタルハロイドランプ、超高圧水銀灯、キセノンランプなどでもよい。
【００７２】
対物レンズを入れ替えた場合に照明光の光量を一定にする機構の一例として、LEDの点灯電圧を変更することで光量を調整する機構を挙げることができる。または、NDフィルタを光路に付加することで光量を調整してもよい。
【００７３】
上記各実施形態において、明視野観察を行う際に励起光源の電源をOFFにする態様を示したが、電源をOFFにせずシャッタ機構（図示せず）により励起光を遮断する態様でも良い。
【００７４】
上記各実施形態において、観察光学系がCCDカメラを備えた態様を示したが、CCDカメラのかわりにCMOSカメラを備えていても良い。カラーCCDカメラであっても良い。
【００７５】
上記各実施形態において、顕微鏡が暗箱の中に配置されていても良い。また、観察光学系により観察される像を写すモニタを備えていても良い。
【００７６】
上記第１実施形態およびその変形例において、蛍光照明光学系１にかえて、図１７に示すようにサンプル２７の横方向から励起光を照射する蛍光照明光学系１０１を採用しても良い。蛍光照明光学系１０１は、１または２以上の光源ユニット１０２から構成されており（図１７では３の光源ユニット１０２）、各光源ユニット１０２は波長の異なる光を発する複数のＬＥＤ（図１７では１０２ａ、１０２ｂ、１０２ｃ）を備えている。蛍光照明光学系１０１は、図１８に示すようにサンプル２７の横に配置され、スライダ１８の切替えに連動して制御部５により各ＬＥＤ（１０２ａ、１０２ｂ、１０２ｃ）のON / OFFが制御される。また、制御部５はスライダ１８の切替えに連動して切替え手段１０３を制御し、点灯しているＬＥＤに対応するエミッションフィルタを光路上に配置することができる。ここで、切替え手段１０３は、第３実施形態の第２切替え手段６９と同様であれば良い。
【００７７】
本発明により、明視野観察と蛍光観察などの複数の観察を実施可能な顕微鏡装置であって、ユーザが操作をする手元近傍に複数の観察を切替える切替え手段を備え、ユーザがその切替え手段により所望の観察を選択すると、それに連動して選択した観察のための光学系に設定を変更する顕微鏡装置を提供することができる。
【符号の説明】
【００７８】
１  蛍光照明光学系
２  明視野照明光学系
３  観察光学系
４  ダイクロイックミラー
５  制御部
６  CCDカメラ
７  接眼レンズ
８  蛍光ターレット
９、３５、３６，３７  蛍光キューブ
１０  対物レンズ
１１  ステージ
１２  プリズム
１３  結像レンズ
１６、２１  コリメータレンズ
１７  コンデンサレンズ
１８  スライダ（照射抑制手段）
１９、２０、２１  照明レンズ
２２  ミラー
２３、２４、２５  蛍光照明用LED
２６  透過照明用LED
２７  サンプル（試料）
２８  励起光照射光路
２９  透過照明  または、蛍光と透過照明用LED
３１、３２、３４  穴部
３３  ミラー
４０  板状部材
４１  レール部
４２、４３、４４、４５  切欠き部
４６  磁気センサ
４７、４８、４９  マグネット
５１  凸部
５３  リミットスイッチ
５４  マグネット
５５ａ、５５ｂ、５５ｃ、５５ｄ  磁気センサ
５６  センサ
５７  光ファイバ
５９ａ、５９ｂ、５９ｃ  光センサ
６１  ホルダ
６２  円盤部材
６３  マーカー
６４  センサ
６５  照明光学系
６６  観察光学系
６７  切替え機構
６８  第１切替え手段
６９  第２切替え手段
７１  NDフィルタ
７２ａ、７２ｂ、７２ｃ  励起フィルタ
７３  穴部
７４ａ、７４ｂ、７４ｃ  エミッションフィルタ
８１  顕微鏡本体
８２、８３  蛍光観察ユニット
９１  位相差用ターレット
９２  明視野用開口
９３  位相差用開口
１０２  光源ユニット
１０３  切替え手段
【図１】
2016095493.tif 000003
【図２】
2016095493.tif 000004
【図３】
2016095493.tif 000005
【図４】
2016095493.tif 000006
【図５】
2016095493.tif 000007
【図６】
2016095493.tif 000008
【図７】
2016095493.tif 000009
【図８】
2016095493.tif 000010
【図９】
2016095493.tif 000011
【図１０】
2016095493.tif 000012
【図１１】
2016095493.tif 000013
【図１２】
2016095493.tif 000014
【図１３】
2016095493.tif 000015
【図１４】
2016095493.tif 000016
【図１５】
2016095493.tif 000017
【図１６】
2016095493.tif 000018
【図１７】
2016095493.tif 000019
【図１８】
2016095493.tif 000020